(57)【要約】      （修正有）【課題】耐火性に優れる防水・防塵機能付きローラーを提供する。【解決手段】防水・防塵機能付きローラーであって、ローラー本体１０と、二つの軸受２０と、シャフト３０と、二つの防水防塵構造Ａとを備える。二つの防水防塵構造はそれぞれ、ローラー本体の軸方向の兩端の取付け室内１３１に取り付けられ、防水防塵構造が、軸受の外側に位置するように、シャフト上の対応する端部に装着され、各防水防塵構造が、金属製の外側バリア部材４０と金属製の内側バリア部材５０を含み、外側バリア部材は、シャフトに固設されて、端部部材１２の外環状部１４に向かって延在するように取付け開口１３０を被覆すると共に、位置決めスリーブ４１と遮蔽部４２を有し、位置決めスリーブがシャフトの端部に固設され、遮蔽部が位置決めスリーブの外側端部に位置し、遮蔽部の外周縁と端部部材の外環状部との間に間隙を有し、この間隙は非常に小さいので、外部環境からの粉塵や雨水が内部に侵入することを効果的に防ぐ。【選択図】図１
0003230417.tif 000002
【実用新案登録請求の範囲】
【請求項１】
防水・防塵機能付きローラーであって、ローラー本体と、二つの軸受と、シャフトと、二つの防水防塵構造とを備え、
前記ローラー本体は、中空状のホイールと、該ホイールの軸方向の両端に設置される二つの端部部材とを含み、該端部部材が、軸受け座と、該軸受け座の外側端部に位置する外環状部を有し、該軸受け座が、取付け室と、該取付け室を囲繞する環状周壁とを有し、該取付け室が、該外環状部まで延在して取付け開口を形成し、
前記二つの軸受がそれぞれ、前記ローラー本体の軸方向の両端の取付け室内に配置され、
前記シャフトが、前記ローラー本体内に挿通され、該シャフトの両端がそれぞれ、前記二つの端部部材及び軸受を貫通して、前記取付け開口の外側に露出し、
前記二つの防水防塵構造はそれぞれ、前記ローラー本体の軸方向の兩端の取付け室内に取り付けられ、該防水防塵構造が、前記軸受の外側に位置するように、前記シャフト上の対応する端部に装着され、該各防水防塵構造が、金属製の外側バリア部材と金属製の内側バリア部材を含み、該外側バリア部材は、該シャフトに固設されて、前記端部部材の外環状部に向かって延在するように前記取付け開口を被覆すると共に、位置決めスリーブと遮蔽部を有し、該位置決めスリーブが該シャフトの端部に固設され、該遮蔽部が該位置決めスリーブの外側端部に位置し、該遮蔽部の外周縁と該端部部材の外環状部との間に間隙を有し、該内側バリア部材は、前記ローラー本体の取付け室内に固設されて、該シャフトの外周を囲繞するように、前記軸受と外側バリア部材との間に配置されると共に、固定周壁と、該固定周壁の外側方に位置する延伸部と、該固定周壁と延伸部との間に連結される環状板部とを有し、該固定周壁が、該端部部材の環状周壁の内周面に固定され、該延伸部は、該外側バリア部材の位置決めスリーブとの間に間隙を有するように、該位置決めスリーブの外周を囲繞するように設置され、該延伸部の外側端部が、該遮蔽部の内側面に、間隙を有するように近接し、その結果、該延伸部と該環状板部と該外側バリア部材の遮蔽部との間に環状の隔離空間を形成し、該隔離空間は、該遮蔽部の外周縁と該端部部材の外環状部との間の間隙を介して外部と連通することを特徴とする防水・防塵機能付きローラー。
【請求項２】
前記防水防塵構造は、金属製の軸側バリア部材と金属製のホイール側バリア部材とをさらに含み、
前記軸側バリア部材は、軸スリーブ部とラジアルリング部を有し、該軸スリーブ部が、前記外側バリア部材の位置決めスリーブと前記軸受との間に位置するように、前記シャフトの端部に固設され、該ラジアルリング部は、該軸スリーブ部の外側端部より半径方向に沿って外向きに延在し、かつ前記内側バリア部材の環状板部の内側方に位置すると共に、該環状板部に、間隙を有するように近接し、
前記ホイール側バリア部材は、取合い部と、環装部と、接続部とを含み、該取合い部が、前記内側バリア部材の固定周壁の内周面上に固設され、該環装部は、該軸側バリア部材の軸スリーブ部との間に間隙を有するように、該軸スリーブ部の外周を囲繞するように設置され、該環装部の外側端部が、該軸側バリア部材のラジアルリング部の内側面に、間隙を有するように近接し、該接続部は、該取合い部の内側端部より前記シャフトに向かって延びるように、該環装部の内側端部に接続されると共に、前記軸受の側面に当接し、該軸側バリア部材とホイール側バリア部材は、前記外側バリア部材と内側バリア部材との間に配置されて、連続湾曲空間を形成することを特徴とする請求項１に記載の防水・防塵機能付きローラー。
【請求項３】
前記軸側バリア部材は、前記ラジアルリング部の外周縁より前記軸受に向かって延在する周壁部をさらに含み、該周壁部が、前記取合い部の内周面に、間隙を有するように近接することを特徴とする請求項２に記載の防水・防塵機能付きローラー。
【請求項４】
前記シャフトは、前記各外側バリア部材の位置決めスリーブの端部のすぐそばに設置される止め輪を含むことを特徴とする請求項２に記載の防水・防塵機能付きローラー。
【請求項５】
前記ローラー本体における環状周壁と外環状部の接続箇所は曲面であり、これに対して、前記内側バリア部材における固定周壁と環状板部との接続箇所に、当該曲面の形状構造に相応する環状フランジが形成されることを特徴とする請求項１から請求項４のいずれか１項に記載の防水・防塵機能付きローラー。
【請求項６】
前記外側バリア部材において、前記遮蔽部と位置決めスリーブとの間の角度は直角又は鋭角をなすことを特徴とする請求項１から請求項４のいずれか１項に記載の防水・防塵機能付きローラー。
【請求項７】
前記外側バリア部材の遮蔽部は、環状端面板部を有し、該環状端面板部を介して、前記位置決めスリーブの外側端部と連結され、該環状端面板部と該位置決めスリーブとの間の角度は直角をなし、該遮蔽部における環状端面板部の外周縁部分と、該位置決めスリーブとの間の角度は鋭角をなすことを特徴とする請求項１から請求項４のいずれか１項に記載の防水・防塵機能付きローラー。
【請求項８】
前記シャフトが中心軸線を有し、前記軸受に向かう前記位置決めスリーブの内側端部に、該中心軸線に対して外向きに拡張するフレア部が形成されることを特徴とする請求項１から請求項４のいずれか１項に記載の防水・防塵機能付きローラー。
【請求項９】
前記シャフトが中心軸線を有し、前記延伸部と前記位置決めスリーブとの間に間隙を有し、前記内側バリア部材の延伸部における、前記遮蔽部に近接する外側端部に、該中心軸線に対して内向きに縮径するテーパ先端部が形成されることを特徴とする請求項１から請求項４のいずれか１項に記載の防水・防塵機能付きローラー。
【請求項１０】
前記シャフトが中心軸線を有し、前記軸受に向かう前記固定周壁の内側端部に、該中心軸線に対して内向きに縮径するテーパ先端部が形成されることを特徴とする請求項１から請求項４のいずれか１項に記載の防水・防塵機能付きローラー。
【請求項１１】
前記シャフトが中心軸線を有し、前記軸受に向かう前記軸スリーブ部の内側端部に、該中心軸線に対して外向きに拡張するフレア部が形成されることを特徴とする請求項２又は請求項３に記載の防水・防塵機能付きローラー。
【請求項１２】
前記シャフトが中心軸線を有し、前記軸受に向かう周壁部の内側端部に、該中心軸線に対して内向きに縮径するテーパ先端部が形成されることを特徴とする請求項２又は請求項３に記載の防水・防塵機能付きローラー。
【請求項１３】
前記ホイール側バリア部材における接続部と環装部の接続箇所は、直角または曲面であることを特徴とする請求項２又は請求項３に記載の防水・防塵機能付きローラー。
【請求項１４】
前記シャフトが中心軸線を有し、前記内側バリア部材の延伸部に向かう前記取合い部の外側端に、該中心軸線に対して内向きに縮径するテーパ先端部が形成されることを特徴とする請求項２又は請求項３に記載の防水・防塵機能付きローラー。
【考案の詳細な説明】
【技術分野】
【０００１】
本考案は、コンベア搬送装置のコンベアベルトを支持するローラーに関し、特に、防水・防塵機能付きローラーに関するものである。
【背景技術】
【０００２】
昔今、砂利や鉱石の搬送作業で広く使用されるコンベア搬送装置は、駆動機構と複数のローラーとを組み合わせてコンベアベルトを駆動するように、砂利や鉱石などの原材料を目的地に搬送する。砂利や鉱石などを搬送する際においては、搬送過程中に大量の粉塵が発生し、それに加え、搬送作業は屋外環境で行われるため、外部からの砂塵や雨水も有し、このような作業環境下で、ローラー内部に塵埃や雨水などが侵入して、ホイールとシャフトとの間の軸受に付着したりすることで、ローラーがスムーズに回転できなくなり、ローラーの使用寿命が短くなる。
【０００３】
ローラーの内部に粉塵や、砂塵、雨水が侵入する問題を解決するために、現在のコンベア搬送装置のローラーのほとんどは、ローラー本体の両端において、軸受の外側に、防水・防塵構造が設けられており、当該防水・防塵構造内の複数のバリア部材を組み合わせることで構成された迷路のような曲がりくねった隙間を介して、防水・防塵の目的を達成した。
【０００４】
前述したローラーの両端に設けられた防水・防塵構造は、粉塵や、砂塵、雨水がローラー内部の軸受に侵入するのを困難にするものの、複数のバリア部材を組み合わせて、迷路のような曲がりくねった隙間を作り出すためのバリア部材の構造が複雑であるので、プラスチック材料を利用して製作することが多い。しかしながら、プラスチック材料は、耐火性や放熱性に劣るため、搬送装置の安全性の要件に基いて、従来の防水・防塵構造の耐火性を改善することがあった。
【考案の概要】
【考案が解決しようとする課題】
【０００５】
本考案は、前記従来技術の欠点に鑑みてなされたものであり、耐火性に優れる防水・防塵機能付きローラーを提供することを目的としている。
【課題を解決するための手段】
【０００６】
上記目的を達成するために、本考案に係る防水・防塵機能付きローラーは、ローラー本体と、二つの軸受と、シャフトと、二つの防水防塵構造とを備え、前記ローラー本体は、中空状のホイールと、該ホイールの軸方向の両端に設置される二つの端部部材とを含み、該端部部材が、軸受け座と該軸受け座の外側端部に位置する外環状部を有し、該軸受け座が、取付け室と、該取付け室を囲繞する環状周壁とを有し、該取付け室は、該外環状部まで延在するように取付け開口を形成し、前記二つの軸受がそれぞれ、前記ローラー本体の軸方向の両端の取付け室内に配置され、前記シャフトが、前記ローラー本体内に挿通され、該シャフトの両端がそれぞれ、前記二つの端部部材及び軸受を貫通して、前記取付け開口の外側に露出し、前記二つの防水防塵構造はそれぞれ、前記ローラー本体の軸方向の兩端の取付け室内に取り付けられ、該防水防塵構造が、前記軸受の外側に位置するように、前記シャフト上の対応する端部に装着され、該各防水防塵構造が、金属製の外側バリア部材と金属製の内側バリア部材を含み、該外側バリア部材は、該シャフトに固設されて、前記端部部材の外環状部に向かって延在するように前記取付け開口を被覆すると共に、位置決めスリーブと遮蔽部を有し、該位置決めスリーブが該シャフトの端部に固設され、該遮蔽部が該位置決めスリーブの外側端部に位置し、該遮蔽部の外周縁と該端部部材の外環状部との間に間隙を有し、該内側バリア部材は、前記ローラー本体の取付け室内に固設されて、該シャフトの外周を囲繞するように、前記軸受と外側バリア部材との間に配置されると共に、固定周壁と、該固定周壁の外側方に位置する延伸部と、該固定周壁と延伸部との間に連結される環状板部とを有し、該固定周壁が、該端部部材の環状周壁の内周面に固定され、該延伸部は、該外側バリア部材の位置決めスリーブとの間に間隙を有するように、該位置決めスリーブの外周を囲繞するように設置され、該延伸部の外側端部が、該遮蔽部の内側面に、間隙を有するように近接し、その結果、該延伸部と該環状板部と該外側バリア部材の遮蔽部との間に環状の隔離空間を形成し、該隔離空間は、該遮蔽部の外周縁と該端部部材の外環状部との間の間隙を介して外部と連通することを特徴とする。
【考案の効果】
【０００７】
前述した技術特徴によれば、本考案に係る防水・防塵機能付きローラーは、シャフト上に固設される外側バリア部材と、ローラー本体上に取り付けられて、ローラー本体と一緒に回転する内側バリア部材と、ローラー本体上の、軸受を取り付けるための端部部材の取付け開口を被覆する外側バリア部材の遮蔽部と、外側バリア部材と内側バリア部材との間に形成される縦向きの隔離空間とを備えることにより、外部環境からの粉塵や雨水が内部の軸受に侵入することを効果的に防ぎ、防水及び防塵する目的を達成する。
【０００８】
さらに、本考案に係る防水・防塵機能付きローラーは、金属製の構造体であることから、防火性、耐火性に優れ、かつ熱伝導性が良好であるので、放熱効果を向上させ、また、部品の厚さを薄くすることができるので、軽量化を図ることが可能となる。その上さらに、金属製の構造体にステンレス鋼を利用すれば、耐発錆性に優れ、使用寿命を高めることができる。
【０００９】
本考案に係る防水・防塵機能付きローラーには、金属製の軸側バリア部材とホイール側バリア部材をさらに設置することができ、その結果、内側バリア部材と軸受との間に取り付けられる、軸側バリア部材とホイール側バリア部材により、迷路のような連続湾曲空間が形成され、これにより、外部環境からの粉塵や雨水が内部の軸受に侵入することをさらに困難にさせると同時に、耐火性を一層向上させる。
【図面の簡単な説明】
【００１０】
【図１】本考案に係る防水・防塵機能付きローラーの好適な実施例の側面視断面図である。
【図２】図１に示した好適な実施例において、一部の部材の変形例を示す部分断面模式図（１）である。
【図３】図１に示した好適な実施例において、一部の部材の変形例を示す部分断面模式図（２）である。
【図４】図１に示した好適な実施例において、一部の部材の変形例を示す部分断面模式図（３）である。
【図５】図１に示した好適な実施例において、一部の部材の変形例を示す部分断面模式図（４）である。
【図６】図１に示した好適な実施例において、一部の部材の変形例を示す部分断面模式図（５）である。
【図７】本考案に係る防水・防塵機能付きローラーに、軸側バリア部材とホイール側バリア部材がさらに設置された他の好適な実施例を示す側面視断面図である。
【図８】図７に示した好適な実施例において、一部の部材の変形例を示す部分断面模式図（１）である。
【図９】図７に示した好適な実施例において、一部の部材の変形例を示す部分断面模式図（２）である。
【図１０】図７に示した好適な実施例において、一部の部材の変形例を示す部分断面模式図（３）である。
【図１１】図７に示した好適な実施例において、一部の部材の変形例を示す部分断面模式図（４）である。
【図１２】図７に示した好適な実施例において、一部の部材の変形例を示す部分断面模式図（５）である。
【考案を実施するための形態】
【００１１】
図１〜図１２は、本考案に係る防水・防塵機能付きローラーの好適な実施例を示しており、これらの図式によると、当該ローラーは、ローラー本体１０と、二つの軸受２０と、シャフト３０と、二つの防水防塵構造Ａとを備えることが分かる。
【００１２】
図１及び図７に示すように、前記ローラー本体１０は、中空状のホイール１１と、該ホイール１１の軸方向の両端にそれぞれ設置される二つの端部部材１２とを含み、該端部部材１２が、軸受け座１３と、該軸受け座１３の外側端部に、径方向に突出するように延在する外環状部１４とを有し、該外環状部１４の外周縁が、該ホイール１１の内周壁に固定連結され、該軸受け座１３が、取付け室１３１と、該取付け室１３１の外周を囲繞する環状周壁１３２とを有し、該取付け室１３１は、該外環状部１４の一端に延在することにより、取付け開口１３０が形成され、該端部部材１２の環状周壁１３２における、該取付け室１３１が該ホイール１１に向かう方向の端部に、端板部１３３が設けられ、該端板部１３３上に、該取付け室１３１と連通する軸孔１３４が形成される。本実施例においては、前記取付け開口１３０においての、前記環状周壁１３２と外環状部１４との接続箇所が、曲面状を呈し、これにより、該環状周壁１３２と外環状部１４との間の接続強度を高めることができる。
【００１３】
図１及び図７に示すように、前記二つの軸受２０がそれぞれ、前記ローラー本体１０の両端の端部部材１２の取付け室１３１内に配置され、各軸受２０が外側に向かう側面と、前記軸受け座１３の取付け開口１３０との間に、収容空間が形成される。
【００１４】
図１及び図７に示すように、前記シャフト３０は、前記ローラー本体１０内に挿通され、該シャフト３０の両端がそれぞれ、前記二つの端部部材１２の軸孔１３４及び軸受２０を貫通し、該端部部材１２の取付け開口１３０から突出するように前記外環状部１４の外側に露出する。前記シャフト３０は、中心軸線３００を有し、該シャフト３０上に、前記軸受２０を固定するための止め輪３１がさらに設けられ、その結果、前記ローラー本体１０と該軸受２０とが組み合わせられて、一緒に該シャフト３０を中心にして回転する。
【００１５】
図１及び図７に示すように、前記二つの防水防塵構造Ａがそれぞれ、前記二つの軸受２０の外側の収容空間に位置して、前記ローラー本体１０の兩端の端部部材１２の取付け室１３１内に取り付けられるように、前記シャフト３０の対応する端部に装着され、該各防水防塵構造Ａは、外側バリア部材４０と内側バリア部材５０を含み、該外側バリア部材４０と内側バリア部材５０が、金属製の部品であって、優れた耐火性を持つ。本実施例においては、前記外側バリア部材４０と内側バリア部材５０が、ステンレス鋼で作られるため、優れた耐発錆性をさらに持つ。
【００１６】
図１に示すように、前記外側バリア部材４０、前記シャフト３０の端部に固設されて、前記端部部材１２の外環状部１４に向かって延在するように前記取付け開口１３０を被覆すると共に、位置決めスリーブ４１と遮蔽部４２を有し、該位置決めスリーブ４１が該シャフト３０の端部に固設され、該シャフト３０上に止め輪３２が設けられ、該位置決めスリーブ４１の端部が、該止め輪３２に当接することにより、該位置決めスリーブ４１の設置位置を制限し、該遮蔽部４２が、該位置決めスリーブ４１の外側端部より径方向に沿って外向きに突出するように延在し、該遮蔽部４２の外周縁が、該端部部材１２の外環状部１４に、間隙を有するように近接する。
【００１７】
前記外側バリア部材４０は、その遮蔽部４２と位置決めスリーブ４１との間の角度は直角又は鋭角をなす。または本実施例のように、前記外側バリア部材４０の遮蔽部４２は、環状端面板部４２１を有し、該環状端面板部４２１を介して、前記位置決めスリーブ４１の外側端部と連結され、該環状端面板部４２１と位置決めスリーブ４１との間の角度は直角を成し、該遮蔽部４２において、該環状端面板部４２１の外周縁部分と該位置決めスリーブ４１との間の角度は鋭角をなし、つまり、該遮蔽部４２における該環状端面板部４２１の外周縁部分は、円錐状を呈する。前述において、前記位置決めスリーブ４１は、同一の内径を持つ円筒状を呈してもよく、または図３に示すように、該位置決めスリーブ４１の内側端部に、前記中心軸線３００に対して外向きに拡張するフレア部４１１が形成されてもよい。
【００１８】
図１及び図７に示すように、前記内側バリア部材５０は、前記ローラー本体１０の端部部材１２の取付け室１３１内に固設されて、該シャフト３０の外周を囲繞するように、前記軸受２０と外側バリア部材４０との間に配置されると共に、固定周壁５１と、延伸部５２と、環状板部５３とを有し、該固定周壁５１と延伸部５２はスリーブ状を呈し、該延伸部５２が、該固定周壁５１の外側方に位置し、該環状板部５３が該固定周壁５１を延伸部５２との間に連結され、該固定周壁５１が、該端部部材１２の環状周壁１３２の内周面に固定され、該延伸部５２は、その直径が、該固定周壁５１の直径よりも小さいと共に、該外側バリア部材４０の位置決めスリーブ４１との間に間隙を有するように、該位置決めスリーブ４１の外周を囲繞するように設置され、該延伸部５２の外側端部が、該外側バリア部材４０の遮蔽部４２の内側面に、間隙を有するように近接し、その結果、該延伸部５２と該環状板部５３と該外側バリア部材４０の遮蔽部４２との間に環状の隔離空間Ａ１を形成し、該隔離空間Ａ１は、該遮蔽部４２の外周縁と該端部部材１２の外環状部１４との間の間隙を介して外部と連通する。
【００１９】
本考案の好適な実施例において、一部の部材の変形例について説明し、図４に示すように、前記延伸部５２が、前記外側バリア部材４０の位置決めスリーブ４１との間に間隙を有するように、該位置決めスリーブ４１の外周を囲繞するように環装され、前記内側バリア部材５０の延伸部５２における前記遮蔽部４２に近接する外側端部に、前記中心軸線３００に対して内向きに縮径するテーパ先端部５２１が形成される。図５に示すように、前記軸受２０に向かう前記固定周壁５１の内側端部に、前記中心軸線３００に対して内向きに縮径するテーパ先端部５１２が形成される。図６に示すように、前記固定周壁５１と環状板部５３との接続箇所に、前記ローラー本体１０においての曲面状に呈する取付け開口１３０の外形に相応する環状フランジ５１１が形成される。
【００２０】
図７〜図１２に示す他の実施例においては、前記防水防塵構造Ａは、前記外側バリア部材４０と内側バリア部材５０を含むことに加え、軸側バリア部材６０とホイール側バリア部材７０をさらに含み、該軸側バリア部材６０とホイール側バリア部材７０はいずれも金属製の部品であることから、優れた耐火性を持ち。本考案の好適な実施例においては、前記軸側バリア部材６０とホイール側バリア部材７０は、ステンレス鋼で作られるため、耐発錆性の特徴を持つ。前記外側バリア部材４０と内側バリア部材５０は、前述した形状構造と同じであるので、ここでは説明を省略する。
【００２１】
図７〜図１２に示すように、前記軸側バリア部材６０は、前記外側バリア部材４０と前記軸受２０との間に位置するように、前記シャフト３０の端部に固設されると共に、軸スリーブ部６１とラジアルリング部６２を有し、該軸スリーブ部６１が、該外側バリア部材４０の位置決めスリーブ４１と該軸受２０との間に位置するように、該シャフト３０の端部に固設され、該ラジアルリング部６２は、該軸スリーブ部６１の外側端部より半径方向に沿って外向きに延在するように、前記内側バリア部材５０の環状板部５３の内側方に位置すると共に、該環状板部５３に接せずに、軸方向の間隙を有するように近接する。図７〜図１２を参照し、前記軸側バリア部材６０は、前記ラジアルリング部６２の外周縁より前記軸受２０に向かって延在する、周壁部６３をさらに含む。
【００２２】
図７〜図１２に示すように、前記ホイール側バリア部材７０は、前記軸側バリア部材６０を囲繞するように、前記ローラー本体１０の端部部材１２の取付け室１３１内に固設されると共に、取合い部７１と、環装部７２と、接続部７３とを含み、該取合い部７１と環装部７２はスリーブ状を呈し、該取合い部７１が、前記内側バリア部材５０の固定周壁５１の内周面上に固設され、該環装部７２は、該軸側バリア部材６０の軸スリーブ部６１との間に間隙を有するように、該軸スリーブ部６１の外周を囲繞するように設置され、該環装部７２の外側端部が、該軸側バリア部材６０のラジアルリング部６２の内側面に、間隙を有するように近接し、該接続部７３は、該取合い部７１の内側端部より前記シャフト３０に向かって延びるように、該環装部７２の内側端部に接続されると共に、前記軸受２０の側面に当接して位置決めされる。
【００２３】
図７〜図１２に示すように、前記軸側バリア部材６０は、周壁部６３をさらに含んでもよく、該周壁部６３が、前記取合い部７１の内周面に、間隙を有するように近接し、その結果、該軸側バリア部材６０とホイール側バリア部材７０が、前記外側バリア部材４０と内側バリア部材５０との間に配置されることにより、連続湾曲空間Ａ２が形成される。
【００２４】
本実施例において、一部の部材の変形例について説明し、図７に示すように、前記軸側バリア部材６０の軸スリーブ部６１と周壁部６３は、円筒状を呈してもよく、または、図９及び図１０に示すように、該軸スリーブ部６１における前記軸受２０に向かう内側端部に、前記中心軸線３００に対して外向きに拡張するフレア部６１１が形成されてもよく、図８及び図１２に示すように、該周壁部６３における該軸受２０に向かうの内側端部に、該中心軸線３００に対して内向きに縮径するテーパ先端部６３１が形成されてもよい。前記ホイール側バリア部材７０における接続部７３と環装部７２の接続箇所は、直角または曲面をなしてもよい。図９及び図１１に示すように、前記内側バリア部材５０の延伸部５２に向かう前記取合い部７１の外側端部に、前記中心軸線３００に対して内向きに縮径するテーパ先端部７１１が形成されてもよい。
【００２５】
本考案に係る防水・防塵機能付きローラーを、コンベア搬送装置に適用する場合、該ローラーは、コンベア搬送装置上に水平に設置され、該ローラーのローラー本体１０を介してコンベアベルトを支持し、ローラー本体１０が、シャフト３０に対して回転することにより、コンベアベルトを動かす。図１或は図７に示すように、当該ローラーが搬送作業を行う際に、防水防塵構造Ａの外側バリア部材４０（或は軸側バリア部材６０）が、シャフト３０上に固定するように設置され、内側バリア部材５０（或はホイール側バリア部材７０）が、ローラー本体１０と一緒に回転するようにローラー本体１０に取り付けられる状態であり、ここでの防水防塵構造Ａは金属材料で作られたので、耐火性に優れ、ステンレス鋼を利用すれば、耐発錆性に優れ、使用寿命を高めることができる。
【００２６】
前述したように、外側バリア部材４０の遮蔽部４２と端部部材１２の外環状部１４とが、わずかな間隙を有するように近接して配置されることで、回転中のローラー本体１０が、外側バリア部材４０と摩擦接触しないので、ローラー本体１０が搬送作業中にスムーズに回転することを確保する。同時に、外側バリア部材４０の遮蔽部４２が、軸受２０が取り付けられているローラー本体１０の端部部材１２における取付け開口１３０を遮蔽しており、かつ外側バリア部材４０の遮蔽部４２と端部部材１２の外環状部１４との間の間隙は非常に小さいので、外部環境からの粉塵や雨水が内部へ侵入することを効果的に防ぐことができる。
【００２７】
外部環境中の少量の粉塵や雨水が、外側バリア部材４０の遮蔽部４２と端部部材１２の外環状部１４との間の間隙から侵入してとしても、本考案に係るローラーの防水防塵構造Ａは、外側バリア部材４０と内側バリア部材５０との間に形成される縦向きの隔離空間Ａ１を介して、その少量に侵入した粉塵や雨水が軸受２０に進入することを効果的に遮断することができるか、または内側バリア部材５０と軸受２０との間の、軸側バリア部材６０とホイール側バリア部材７０とが組み合わせられて形成する連続湾曲空間Ａ２を介して、粉塵や雨水が少量軸受２０に侵入することを困難にする。一方、本考案に係るローラーの防水防塵構造Ａは、外側バリア部材４０と内側バリア部材５０との間に形成される縦向きの隔離空間Ａ１を有することから、隔離空間Ａ１に侵入した粉塵や雨水は、自重により落下して、外側バリア部材４０の遮蔽部４２と端部部材１２の外環状部１４との間の間隙から排出され、防水及び防塵する目的を達成する。
【符号の説明】
【００２８】
１０    ローラー本体
１１    ホイール
１２    端部部材
１３    軸受け座
１３０  取付け開口
１３１  取付け室
１３２  環状周壁
１３３  端板部
１３４  軸孔
１４    外環状部
２０    軸受
３０    シャフト
３００  中心軸線
３１    止め輪
３２    止め輪
Ａ      防水防塵構造
Ａ１    隔離空間
Ａ２    連続湾曲空間
４０    外側バリア部材
４１    位置決めスリーブ
４１１  フレア部
４２    遮蔽部
４２１  環状端面板部
５０    内側バリア部材
５１    固定周壁
５１１  環状フランジ
５１２  テーパ先端部
５２    延伸部
５２１  テーパ先端部
５３    環状板部
６０    軸側バリア部材
６１    軸スリーブ部
６１１  フレア部
６２    ラジアルリング部
６３    周壁部
６３１  テーパ先端部
７０    ホイール側バリア部材
７１    取合い部
７１１  テーパ先端部
７２    環装部
７３    接続部
【図１】
0003230417.tif 000003
【図２】
0003230417.tif 000004
【図３】
0003230417.tif 000005
【図４】
0003230417.tif 000006
【図５】
0003230417.tif 000007
【図６】
0003230417.tif 000008
【図７】
0003230417.tif 000009
【図８】
0003230417.tif 000010
【図９】
0003230417.tif 000011
【図１０】
0003230417.tif 000012
【図１１】
0003230417.tif 000013
【図１２】
0003230417.tif 000014